(57)【特許請求の範囲】
【請求項１】
流体導管（２６）をそれぞれ接続可能として相互に異なる方向に臨む複数の接続口（２４ａ，２４ｂ；２４ａ，２４ｂ，２４ｃ）を形成して同一平面に配置される複数の接続ボス（２３ａ，２３ｂ；２３ａ，２３ｂ，２３ｃ）を有するとともに前記各接続口（２４ａ，２４ｂ；２４ａ，２４ｂ，２４ｃ）を相互に連通させる連通路（２５1 ，２５2 ）が設けられるジョイント主部（２１1 ，２１2 ）に、前記接続ボス（２３ａ，２３ｂ；２３ａ，２３ｂ，２３ｃ）の軸線を含む平面にほぼ沿う第１側面（３１）ならびに第１側面（３１）に平行にして前記ジョイント主部（２１1 ，２１2 ）の外側面に滑らかに連設される第２側面（３２）を両側に有するとともに前記接続ボス（２３ａ，２３ｂ；２３ａ，２３ｂ，２３ｃ）の外径の略半分の厚みを有した平板状に形成される連結板部（２２1 ，２２2 ）が一体に連設されて成る複数のジョイント（２０1 ，２０2 ，２０3 ）が、相互に重合させた連結板部（２２1 ，２２2 ）を連結するとともにボルト（３５）を挿入可能としたスプリングピン（３４）またはスナップピン（３９）をそれらの連結板部（２２1 ，２２2 ）に設けられた貫通孔（３３1 ，３３2 ）に挿入して仮組した状態で、前記ボルト（３５）により固定の支持体（３６）に締結されることを特徴とする流体導管の中継接続構造。
【発明の詳細な説明】
【０００１】
【発明の属する技術分野】
本発明は、流体導管を中継接続するための接続構造に関する。
【０００２】
【従来の技術】
従来、流体導管を中継接続するためのジョイントが、たとえば特開昭６１−２０６８９０号公報および実開昭６２−１１５５９８号公報等により既に知られている。
【０００３】
【発明が解決しようとする課題】
上記公報に開示されたジョイントは、固定の支持体に支持するための構成が開示されていないが、流体導管が剛性を有していないもの、たとえばゴムホースである場合には、比較的大重量となるジョイントを固定の支持体に支持するのが合理的であり、その場合、複数のジョイントを同一支持体に共通に支持することができれば、支持構成の簡素化および組付工数の低減を図ることができるであろう。
【０００４】
本発明は、かかる事情に鑑みてなされたものであり、流体導管を中継接続するための複数のジョイントを共通に支持可能として支持構成の簡素化および組付工数の低減を図るようにした流体導管の中継接続構造を提供することを目的とする。
【０００５】
【課題を解決するための手段】
上記目的を達成するために、本発明は、流体導管をそれぞれ接続可能として相互に異なる方向に臨む複数の接続口を形成して同一平面に配置される複数の接続ボスを有するとともに前記各接続口を相互に連通させる連通路が設けられるジョイント主部に、前記接続ボスの軸線を含む平面にほぼ沿う第１側面ならびに第１側面に平行にして前記ジョイント主部の外側面に滑らかに連設される第２側面を両側に有するとともに前記接続ボスの外径の略半分の厚みを有した平板状に形成される連結板部が一体に連設されて成る複数のジョイントが、相互に重合させた連結板部を連結するとともにボルトを挿入可能としたスプリングピンまたはスナップピンをそれらの連結板部に設けられた貫通孔に挿入して仮組した状態で、前記ボルトにより固定の支持体に締結されることを特徴とする。
【０００６】
【発明の実施の形態】
以下、本発明の実施の形態を、添付図面に示した本発明の実施例に基づいて説明する。  図１ないし図９は本発明の第１実施例を示すものであり、図１は一対の第１ジョイントの支持体への連結支持構造を示す縦断側面図、図２は図１の２矢視図、図３は図１の３−３線断面図、図４は流体導管の第１ジョイントへの接続構造を示す断面図、図５はジョイント素材の側面図、図６は図５の６−６線断面図、図７は第２ジョイントの横断面図、図８は第１および第２ジョイントを連結した状態での図３に対応する断面図、図９は一対の第２ジョイントを連結した状態での図３に対応する断面図である。
【０００７】
先ず図１ないし図３において、同一形状である一対の第１ジョイント２０1 ，２０1 が、ボルト３５により共通の支持体３６に締着される。
【０００８】
第１ジョイント２０1 は、ジョイント主部２１1 に連結板部２２1 が一体に連設されて成るものであり、ジョイント主部２１1 は、一直線上で相互に逆方向に臨む第１および第２接続ボス２３ａ，２３ｂと、第１および第２接続ボス２３ａ，２３ｂ間に直角に連なる第３接続ボス２３ｃとを備えるものであり、横断面形状を円形とした第１ないし第３接続ボス２３ａ〜２３ｃは、同一平面内で略Ｔ字状に配置される。またジョイント主部２１1 には、第１および第２接続ボス２３ａ，２３ｂの外面に開口する第１および第２接続口２４ａ，２４ｂと、第１および第２接続口２４ａ，２４ｂを一直線状に結ぶ連通路２５1 とが設けられる。
【０００９】
図４において、第１接続口２４ａに接続される流体導管２６の端部にはフレア２７が設けられており、該流体導管２６には、その軸方向に摺動可能なフレアナット２８が嵌装される。一方、第１接続口２４ａは、フレア２７を圧接可能なシート部２９と、フレアナット２８を螺合せしめるねじ孔部３０とが同軸に設けられて成るものであり、連通路２５1 はシート部２９の中央部に開口される。而してフレア２７をシート部２９に当接せしめた状態でフレアナット２８をねじ孔部３０に螺合して締付けることにより、流体導管２６が、流体密にして第１接続口２４ａに接続されることになる。
【００１０】
第２接続口２４ｂは、上記第１接続口２４ａと同一形状に形成されており、第１接続口２４ａと同軸上に配置される。
【００１１】
連結板部２２1 は、ジョイント主部２１1 において第１ないし第３接続ボス２３ａ〜２３ｃの軸線を含む平面にほぼ沿う第１側面３１と、第１側面３１に平行である第２側面３２とを両側に有して、ジョイント主部２１1 における各接続ボス２３ａ〜２３ｃの外径の略半分の厚みを有した平板状に形成されるものであり、第２側面３２がジョイント主部２１1 の外側面に滑らかに連設される。しかも該連結板部２２1 には両側面３１，３２間にわたる貫通孔３３1 が穿設されており、連結板部２２1 の両側面３１，３２には、貫通孔３３1 の両端開口部を囲繞するようにして隆起部３１ａ，３２ａが設けられる。
【００１２】
而して一対の第１ジョイント２０1 ，２０2 を連結するにあたっては、それらのジョイント２０1 ，２０1 の連結板部２２1 …が、第１側面３１…の隆起部３１ａ…を相互に当接させるようにして重合せしめられ、その重合状態で、両連結板部２２1 …の貫通孔３３1 …に連結部材としてのスプリングピン３４が挿入される。  スプリングピン３４内にはボルト３５が挿通され、該ボルト３５を固定の支持体３６にねじ込むことにより、両ジョイント２０1 ，２０1 が支持体３６に締着されることになる。
【００１３】
ところで、第１ジョイント２０1 の製造にあたっては、図５および図６で示すジョイント素材２０が、金属の鋳造成形により準備されるものであり、このジョイント素材２０は、略Ｔ字状に配置された第１ないし第３接続ボス２３ａ〜２３ｃを有した素材主部２１に、隆起部３１ａ，３２ｂを有した第１および第２側面３１，３２間に貫通孔３３1 を有する連結板部２２が一体に連設されて成るものであり、第１ジョイント２０1 の外形形状にほぼ対応した外形形状を有するように形成される。而して該ジョイント素材２０から第１ジョイント２０1 を形成するにあたっては、素材主部２１の各接続ボス２３ａ〜２３ｃのうち第１および第２接続ボス２３ａ，２３ｂに第１および第２接続口２４ａ，２４ｂをそれぞれ形成するための穿孔加工、ならびに両接続口２４ａ，２４ｂを連通する連通路２５1 を形成するための穿孔加工を素材主部２１に施せばよく、必要に応じて連結板部２２における両隆起部３１ａ，３２ａの端面を平滑化する加工を施すようにしてもよい。
【００１４】
またジョイント素材２０における素材主部２１に上述とは異なる加工を施せば図７で示すような第２ジョイント２０2 を形成することも可能である。すなわち第２ジョイント２０2 は、第１、第２および第３接続口２４ａ，２４ｂ，２４ｃを有するジョイント主部２１2 に連結板部２２1 が一体に連設されて成るものであり、ジョイント主部２１2 は、第１〜第３接続ボス２３ａ〜２３ｃの各外面にそれぞれ開口する第１〜第３接続口２４ａ〜２４ｃと、それらの接続口２４ａ〜２４ｃを相互に連通する略Ｔ字状の連通路２５2 とを有するものであり、同一のジョイント素材２０から接続口の個数が異なる第１および第２ジョイント２０1 ，２０2 をそれぞれ形成することが可能である。
【００１５】
而して第１および第２ジョイント２０1 ，２０2 は、そのジョイント主部２１1 ，２１2 が異なるだけであり、連結板部２２1 は同一形状を有するものであるので、第１ジョイント２０1 ，２０1 同士と同一の連結、支持構造で、図８で示すように第１および第２ジョイント２０1 ，２０2 を支持体３６（図１参照）に連結、支持したり、図９で示すように一対の第２ジョイント２０2 ，２０2 を支持体３６（図１参照）に連結、支持することが可能である。
【００１６】
次にこの第１実施例の作用について説明すると、第１ジョイント２０1 は、流体導管２６…をそれぞれ接続可能として相互に異なる方向に臨む第１および第２接続口２４ａ，２４ｂ、ならびにそれらの接続口２４ａ，２４ｂを相互に連通させる連通路２５1 を有するジョイント主部２１1 に、貫通孔３３1 を有する連結板部２２1 が一体に連設されて成り、また第２ジョイント２０2 は、流体導管２６…をそれぞれ接続可能として相互に異なる方向に臨む第１ないし第３接続口２４ａ〜２４ｃ、ならびにそれらの接続口２４ａ〜２４ｃを相互に連通させる連通路２５2 を有するジョイント主部２１2 に、貫通孔３３1 を有する連結板部２２1 が一体に連設されて成るものである。而して第１ジョイント２０1 ，２０1 同士、第２ジョイント２０2 ，２０2 同士、あるいは第１および第２ジョイント２０1 ，２０2 が、それらの連結板部２２1 …を相互に重合させた状態で、各連結板部２２1 …に設けられた貫通孔３３1 …に挿通されたボルト３５で、支持体３６に締結されるので、相互に異なる系統の流体導管２６…をそれぞれ中継接続するための複数たとえば一対のジョイントを支持体３６に共通に支持することができ、支持構成の簡素化および組付工数の低減を図ることができる。
【００１７】
しかも第１ジョイント２０1 ，２０1 同士、第２ジョイント２０2 ，２０2 同士、あるいは第１および第２ジョイント２０1 ，２０2 は、ボルト３５の挿通を可能として貫通孔３３1 …に挿入されるスプリングピン３４で相互に連結されるものであるので、支持体３６への支持にあたって、第１ジョイント２０1 ，２０1 同士、第２ジョイント２０2 ，２０2 同士、あるいは第１および第２ジョイント２０1 ，２０2 を仮組みすることができ、ボルト３５による支持体３６への締結作業が容易となる。
【００１８】
また第１ジョイント２０1 は、相互に異なる方向に臨む第１〜第３接続ボス２３ａ，２３ｂ，２３ｃを有するジョイント素材２０に、それらの接続ボス２３ａ〜２３ｃのうち選択した２つに接続口２４ａ，２４ｂを形成するための穿孔加工と、両接続口２４ａ，２４ｂ間を連通する連通路２５1 を形成するための穿孔加工とを施すことにより得られ、また第２ジョイント２０2 は、異なる方向に臨む第１〜第３接続ボス２３ａ，２３ｂ，２３ｃを有するジョイント素材２０に、それらの接続ボス２３ａ〜２３ｃの全てに接続口２４ａ〜２４ｃを形成するための穿孔加工と、全接続口２４ａ〜２４ｃ間を連通する連通路２５2 を形成するための穿孔加工とを施すことにより得られるものである。すなわち異なる２種類のジョイント２０1 ，２０2 を同一形状のジョイント素材２０から得ることができ、ジョイント素材２０を鋳造するための型が同一ですむので、製造コストを低減することができる。
【００１９】
図１０および図１１は第１実施例の変形例を示すものであり、図１０は一対の第１ジョイントの支持体への連結支持構造を示す縦断側面図、図１１は図１０の１１矢視図である。
【００２０】
一対のジョイントたとえば第１ジョイント２０1 ，２０1 同士を、支持体３６に連結、支持するにあたって、それらのジョイント２０1 ，２０1 の連結板部２２1 …が、第２側面３２…の隆起部３２ａ…を相互に当接させるようにして重合せしめられるようにしてもよい。而してかかる連結構造によれば、図１１の鎖線で示すように、一方の第１ジョイント２０1 に対する他方の第２ジョイント２０1 の相対位置を、自在に変化させることが可能となる。
【００２１】
図１２ないし図１５は本発明の第２実施例を示すものであり、図１２は一対の第３ジョイントを支持体に連結支持した状態での縦断側面図、図１３は図１２の１３−１３線断面図、図１４は図１２の１４−１４線断面図、図１５は一対の第３ジョイントの連結前の縦断面図である。
【００２２】
同一形状である一対の第３ジョイント２０3 ，２０3 は、ボルト３５により共通の支持体３６に締着されるものであり、第３ジョイント２０3 は、第１および第２接続口２４ａ，２４ｂと、第１および第２接続口２４ａ，２４ｂを一直線状に結ぶ連通路２５1 とが設けられたジョイント主部２１1 に、連結板部２２2 が一体に連設されて成る。
【００２３】
連結板部２２2 は、相互に平行な第１側面３１および第２側面３２を両側に有して平板状に形成されるものであり、貫通孔３３2 が連結板部２２1 の両側面３１，３２間にわたって設けられ、貫通孔３３2 の両端開口部を囲繞するようにして隆起部３１ａ，３２ａが両側面３１，３２に設けられる。
【００２４】
貫通孔３３2 の両端部には、外方に向って拡径するテーパ部３７，３７が設けられており、また貫通孔３３2 の内側面には、該貫通孔３３2 の一直径線上で軸方向に延びる一対の係合溝３８，３８が設けられる。
【００２５】
而して一対の第３ジョイント２０3 ，２０3 を連結するにあたっては、それらのジョイント２０3 ，２０3 の連結板部２２2 …が、第１側面３１…の隆起部３１ａ…を相互に当接させるようにして重合せしめられ、その重合状態で、両連結板部２２2 …の貫通孔３３2 …に連結部材としてのスナップピン３９が挿入される。
【００２６】
このスナップピン３９は、貫通孔３３2 の一端のテーパ部３７に係合可能として略半円状に形成される係合部３９ａの両端に、係合軸部３９ｂ，３９ｂが一体に連設されて成るものである。而して両係合軸部３９ｂ，３９ｂは、貫通孔３３2 の一端のテーパ部３７に係合部３９ａを係合せしめたときに、相互に重合した両連結板部２２2 ，２２2 における貫通孔３３2 ，３３2 の各係合溝３８…に係合せしめられるものである。而して各係合溝３８…への係合状態で両係合軸部３９ｂ，３９ｂ間には、ボルト３５の軸部直径よりも狭い間隔があけられるものであり、スナップピン３９が挿入されている貫通孔３３2 ，３３2 へのボルト３５の挿通により、両係合軸部３９ｂ，３９ｂの間隔が拡げられて係合溝３８…への弾発係合が強められるとともに、その反力がボルト３５に作用して、ボルト３５の貫通孔３３2 …への挿通状態が仮止め保持されることになる。
【００２７】
この第２実施例によっても、第３ジョイント２０3 ，２０3 同士が、ボルト３５の挿通を可能として貫通孔３３2 …に挿入されるスナップピン３９で相互に連結されることになり、支持体３６への支持にあたって、第３ジョイント２０3 ，２０3 同士およびボルト３５を仮組みすることができ、支持体３６への締結作業がより容易となる。
【００２８】
以上、本発明の実施例を詳述したが、本発明は上記実施例に限定されるものではなく、特許請求の範囲に記載された本発明を逸脱することなく種々の設計変更を行なうことが可能である。
【００２９】
たとえば、各ジョイントに設けられる接続ボスの数は３個に限られるものではなく、３以上の複数であればよい。また３以上の複数のジョイントを支持体に連結、支持することも可能である。
【００３０】
【発明の効果】
以上のように本発明によれば、流体導管をそれぞれ接続可能として相互に異なる方向に臨む複数の接続口を有するとともにそれらの接続口を相互に連通させる連通路が設けられるジョイント主部に、連結板部が一体に連設されて成る複数のジョイントが、連結板部を相互に重合させた状態でボルトによって固定の支持体に締結されるので、相互に異なる系統の流体導管をそれぞれ中継接続するための複数のジョイントを支持体に共通に支持することができ、支持構成の簡素化および組付工数の低減を図ることができる。しかも支持体への複数のジョイントの支持にあたって、スプリングピンまたはスナップピンによって各ジョイントを仮組みすることができ、ボルトによる支持体への締結作業が容易となる。さらにジョイント主部は、複数の接続口を形成して同一平面に配置される複数の接続ボスを有するものであり、連結板部は、接続ボスの軸線を含む平面にほぼ沿う第１側面ならびに第１側面に平行にして前記ジョイント主部の外側面に滑らかに連設される第２側面を両側に有するとともに接続ボスの外径の略半分の厚みを有した平板状に形成されるので、２つのジョイントを相互の第１側面を重合させた状態で支持体に支持したり、ジョイント相互の位置関係を自在な位置に調整すべく相互の第２側面を重合させた状態で支持体に支持したりすることができる。
【図面の簡単な説明】
【図１】  第１実施例を示すものであって一対の第１ジョイントの支持体への連結支持構造を示す縦断側面図である。
【図２】  図１の２矢視図である。
【図３】  図１の３−３線断面図である。
【図４】  流体導管の第１ジョイントへの接続構造を示す断面図である。
【図５】  ジョイント素材の側面図である。
【図６】  図５の６−６線断面図である。
【図７】  第２ジョイントの横断面図である。
【図８】  第１および第２ジョイントを連結した状態での図３に対応する断面図である。
【図９】  一対の第２ジョイントを連結した状態での図３に対応する断面図である。
【図１０】  第１実施例の変形例を示すものであって一対の第１ジョイントの支持体への連結支持構造を示す縦断側面図である。
【図１１】  図１０の１１矢視図である。
【図１２】  第２実施例を示すものであって一対の第３ジョイントの支持体への連結支持構造を示す縦断側面図である。
【図１３】  図１２の１３−１３線断面図である。
【図１４】  図１２の１４−１４線断面図である。
【図１５】  一対の第３ジョイントの連結前の縦断面図である。
【符号の説明】
２０1 ，２０2 ，２０3 ・・・ジョイント
２１1 ，２１2 ・・・ジョイント主部
２２1 ，２２2 ・・・連結板部
２３ａ，２３ｂ，２３ｃ・・・接続ボス
２４ａ，２４ｂ，２４ｃ・・・接続口
２５1 ，２５2 ・・・連通路
２６・・・流体導管
３１・・・第１側面
３２・・・第２側面
３３1 ，３３2 ・・・貫通孔
３４・・・スプリングピン
３５・・・ボルト
３６・・・支持体
３９・・・スナップピン
【図１】
0003683027.tif 000002
【図２】
0003683027.tif 000003
【図３】
0003683027.tif 000004
【図４】
0003683027.tif 000005
【図５】
0003683027.tif 000006
【図６】
0003683027.tif 000007
【図７】
0003683027.tif 000008
【図８】
0003683027.tif 000009
【図９】
0003683027.tif 000010
【図１０】
0003683027.tif 000011
【図１１】
0003683027.tif 000012
【図１２】
0003683027.tif 000013
【図１３】
0003683027.tif 000014
【図１４】
0003683027.tif 000015
【図１５】
0003683027.tif 000016